(57)【要約】【課題】大容量の記憶装置や処理速度の速い演算装置を端末自身に搭載することなく、現在位置関連情報をユーザに提供できる携帯端末、及び、サーバ側での情報検索処理を軽減し、ユーザが所望する現在位置関連情報を迅速に提示できる位置情報変換システムを提供する。【解決手段】自端末の位置情報を、該位置情報と関連づけられた所定動作の実行命令に変換する位置測位機能付き携帯電話機であって、位置情報を現在地関連情報の表示命令に変換するための変換処理群が少なくとも一群蓄積された記憶装置部と、記憶装置部から読み出す変換処理群を選択する手段と、現在地の位置情報を取得する位置測位機能部１１１と、選択した変換処理群のうち、現在地の位置情報に関連する変換処理を実行し、表示命令を生成する位置情報変換機能部１１２と、生成した表示命令に応じ、不図示の表示部などを用いて現在位置関連情報をユーザに提示する表示／出力機能部１１３とを有する。【選択図】　　　　図１
2004015630.tif 000002
【特許請求の範囲】
【請求項１】
自端末の位置情報を、該位置情報と関連づけられた所定動作の実行命令に変換する携帯端末であって、
前記位置情報を前記実行命令に変換するための変換処理群が少なくとも一群蓄積された記憶手段と、
前記位置情報から前記実行命令への変換に適用する変換処理群を選択する手段と、
現在地の位置情報を取得する手段と、
前記選択した変換処理群のうち、前記現在地の位置情報に関連する変換処理を実行し、実行命令を生成する位置情報変換手段と、
前記生成した実行命令に応じた動作を実行する手段とを有することを特徴とする携帯端末。
【請求項２】
前記変換処理群は、位置情報の測位単位に基づくマトリックスの各セルに対応した変換処理の集合であり、
前記位置情報変換手段は、前記現在地の位置情報に対応するセルの変換処理を行って前記実行命令を生成することを特徴とする請求項１記載の携帯端末。
【請求項３】
前記変換処理群の一つは、交通機関の最寄りステーション名をユーザに提示する動作の実行命令を前記位置情報変換手段に生成させることを特徴とする請求項１又は２記載の携帯端末。
【請求項４】
前記変換処理群の一つは、交差点名、インターチェンジ名、パーキング名を含む最寄りランドマーク名をユーザに提示する動作の実行命令を前記位置情報変換手段に生成させることを特徴とする請求項１から３のいずれか１項記載の携帯端末。
【請求項５】
前記変換処理群の一つは、現在地の位置情報に基づいて端末設定を変更する動作の実行命令を前記位置情報変換手段に生成させることを特徴とする請求項１から４のいずれか１項記載の携帯端末。
【請求項６】
所定動作を実行する携帯端末と、当該携帯端末に移動体通信網を介して接続され、該携帯端末の位置情報に基づいて前記所定動作の実行命令を生成する変換処理群が少なくとも一群蓄積された記憶手段を備えたサーバとを有する位置情報変換システムであって、
前記携帯端末は、
移動体通信網を介して情報を送受信する手段と、
前記変換処理群の一つをユーザに選択させる手段と、
ユーザに選択された変換処理群を示す選択情報を、前記サーバへ送信する手段と、
現在地の位置情報を取得する手段と、
前記現在地の位置情報を前記サーバへ送信する手段と、
前記サーバから受信した実行命令に基づいた動作を実行する実行手段とを有し、
前記サーバは、
前記選択情報に基づいて、いずれの変換処理群を前記記憶手段から読み出して実行するかを設定する手段と、
前記現在地の位置情報を前記携帯端末から取得する手段と、
前記設定した変換処理群のうち、前記現在地の位置情報に関連する変換処理を前記記憶手段から読み出して実行し、実行命令を生成する位置情報変換手段と、
前記実行命令を前記携帯端末へ送信する手段とを有することを特徴とする位置情報変換システム。
【請求項７】
前記変換処理群は、位置情報の測位単位に基づくマトリックスの各セルに対応した変換処理の集合であり、
前記位置情報変換手段は、前記現在地の位置情報に対応するセルの変換処理を実行して、前記実行命令を生成することを特徴とする請求項６記載の位置情報変換システム。
【請求項８】
前記変換処理群の一つは、交通機関の最寄りステーション名をユーザに提示する動作の実行命令を前記位置情報変換手段に生成させることを特徴とする請求項６又は７記載の位置情報変換システム。
【請求項９】
前記変換処理群の一つは、交差点名、インターチェンジ名、パーキング名を含むランドマーク名をユーザに提示する動作の実行命令を前記位置情報変換手段に生成させることを特徴とする請求項６から８のいずれか１項記載の位置情報変換システム。
【請求項１０】
前記変換処理群の一つは、前記現在地の位置情報に基づいて前記携帯端末の端末設定を変更する動作の実行命令を前記位置情報変換手段に生成させることを特徴とする請求項６から９のいずれか１項記載の位置情報変換システム。
【請求項１１】
ネットワーク上のサーバと、当該サーバに移動体通信網を介して接続され、位置情報を所定動作の実行命令に変換する変換処理群を少なくとも一群蓄積する記憶手段を備えた携帯端末とを有する位置情報変換システムであって、
前記携帯端末は、
移動体通信網を介して情報を送受信する手段と、
前記変換処理群の一つをユーザに選択させる手段と、
前記選択された変換処理群の送信を、前記サーバに要求する手段と、
前記サーバから取得した変換処理群を前記記憶手段に蓄積する手段と、
現在地の位置情報を取得する手段と、
前記選択した変換処理群のうち、前記現在地の位置情報に関連する変換処理を実行し、前記実行命令を生成する位置情報変換手段と、
前記生成した実行命令に応じた動作を実行する手段とを有し、
前記サーバは、
少なくとも一つの前記変換処理群が蓄積された蓄積手段と、
前記携帯端末から要求された変換処理群を、前記携帯端末へ送信する手段とを有することを特徴とする位置情報変換システム。
【請求項１２】
前記変換処理群は、位置情報の測位単位に基づくマトリックスの各セルに対応した変換処理の集合であり、
前記位置情報変換手段は、前記現在地の位置情報に対応するセルの変換処理を行って前記実行命令を生成することを特徴とする請求項１１記載の位置情報変換システム。
【請求項１３】
前記変換処理群の一つは、交通機関の最寄りステーション名をユーザに提示する動作の実行命令を前記位置情報変換手段に生成させることを特徴とする請求項１１又は１２記載の位置情報変換システム。
【請求項１４】
前記変換処理群の一つは、交差点名、インターチェンジ名、パーキング名を含むランドマーク名をユーザに提示させる動作の実行命令を前記位置情報変換手段に生成させることを特徴とする請求項１１から１３のいずれか１項記載の位置情報変換システム。
【請求項１５】
前記変換処理群の一つは、現在地の位置情報に基づいて端末設定を変更する動作の実行命令を前記位置情報変換手段に生成させることを特徴とする請求項１１から１４のいずれか１項記載の位置情報変換システム。
【発明の詳細な説明】
【０００１】
【発明の属する技術分野】
本発明は、特定した現在位置の情報を基に、その位置に関連する情報をユーザに提供する方法に関し、特に、ユーザが予め設定した変換法則に基づいて現在位置の情報を関連情報に変換する携帯端末及び位置情報変換システムに関する。
【０００２】
【従来の技術】
近年、位置測位機能を実現する回路の小型化及び測位感度・精度の向上に伴い、「現在位置情報」は、携帯端末においても何時でも何処でも使用できるようになっている。
携帯端末において現在位置を測位する手法としては、ＧＰＳ衛星からの電波を測定して現在位置を特定する「ＧＰＳ機能」が適用されることが多い。また、携帯端末のなかでも移動体通信網を介して通信を行う「移動体通信端末」の場合は、自端末がどの基地局セルに所属しているかによって現在位置を特定することもできる。
【０００３】
これらの位置測位機能によって取得できる情報は、現在位置を示す情報（例えば、緯度・経度）にすぎないため、位置情報に基づいて、その位置に関連する情報をユーザに提示するためには、データベースなどから抽出する必要がある。
【０００４】
図１２に、移動体通信網を利用した従来技術による位置情報サービスシステムを示す。このシステムは、位置測位機能付き携帯電話機１００と、ネットワーク上に設けられたコンテンツサーバ２００及び地図データベースサーバ３００とを有する。
位置測位機能付き携帯電話機１００は、位置測位機能部１０１と表示出力機能部１０２とを有する。
【０００５】
図１３に、このシステムにおいて、位置測位機能付き携帯電話機１００が、位置測位機能部１０１の取得した現在位置情報を基にして、地図データベースサーバ３００に登録されている地図情報をユーザに提示する動作のシーケンスを示す。
位置測位機能付き携帯電話機１００は、位置測位機能部１０１を用いて現在位置情報を取得し（ステップＳ８０１）、取得した位置情報をコンテンツサーバ２００へ送信する。コンテンツサーバ２００は、位置測位機能付き携帯電話機１００から現在位置情報を取得し（ステップＳ８０２）、この情報に基づいて地図データベース３００から地図情報を取得する（ステップＳ８０３）。コンテンツサーバ２００は、取得した地図情報を位置機能付き携帯電話機１００へ送信する（ステップＳ８０４）。位置測位機能付き携帯電話機１００は、コンテンツサーバ２００から地図情報を取得し（ステップＳ８０５）、表示／出力機能部１０２はこの情報を不図示の表示手段においてユーザに表示する（ステップＳ８０６）。
【０００６】
上記動作を行うことによって、位置測位機能付き携帯電話機１００は、位置情報測位機能部１０１が取得した現在位置情報に基づいて、現在位置付近の地図をユーザに提示することができる。
【０００７】
また、図１４に、上記システムにおいて、位置測位機能付き携帯電話機１００が、位置測位機能部１０１が取得した現在位置情報を基にして、地図データベース３００に登録されている現在位置関連情報をユーザに提示する動作のシーケンスを示す。
位置測位機能付き携帯電話機１００は、位置測位機能部１０１を用いて現在位置情報を取得し（ステップＳ９０１）、取得した位置情報をコンテンツサーバ２００へ送信する。コンテンツサーバ２００は、位置測位機能付き携帯電話機１００が送信した現在位置情報を取得する（ステップＳ９０２）。また、位置測位機能付き携帯電話機１００は、ユーザに設定された検索条件をコンテンツサーバ２００へ送信する（ステップＳ９０３）。コンテンツサーバ２００は、位置測位機能付き携帯電話機１００から検索条件を取得する（ステップＳ９０４）。
コンテンツサーバ２００は、位置測位機能付き携帯電話機１００から取得した位置情報と検索条件とに基づいて、地図データベース３００に登録されている現在位置関連情報を検索し（ステップＳ９０５）、検索結果を位置測位機能付き携帯電話機１００へ送信する。位置測位機能付き携帯電話機１００は、コンテンツサーバ２００から現在位置関連情報を受信し（ステップＳ９０６）、表示／出力機能部１０２はこの情報を不図示の表示手段においてユーザへ表示したり、メモリに蓄積保存するなどしてユーザに活用させることを可能としている（ステップＳ９０７）。
【０００８】
このように、従来技術による位置測位機能付き携帯電話機では、地図データを利用して構築されたデータベースに対する検索条件をユーザが設定することによって、「現在位置情報」を基にした「現在位置関連情報」（地図、住所、電話番号、店舗名、最寄り駅名等）を得ていた。
【０００９】
【発明が解決しようとする課題】
しかしながら、地図データを利用してデータベースを構築すると、膨大な量の情報を記憶装置に蓄積しておき、その中から必要となる情報を抽出する処理を行わなければならない。携帯端末は、小型化・軽量化・低消費電力化が要求されているため、端末自身に高容量の記憶装置や処理速度の高い演算装置を搭載することは難しい。
【００１０】
また、位置情報検出機能付き移動通信端末の場合は、移動体通信網を介して接続されたサーバへ現在位置情報を送信し、サーバ側で情報の検索を行って、その結果を移動通信端末へ送信することによって、位置情報を基に現在位置関連情報をユーザに提示することができる。この場合、地図データを基にしたデータベースを利用すると、サーバ側における検索処理に時間を要してしまい、ユーザが情報をすぐに取得できないだけでなく、通信コストも増大してしまう。
【００１１】
本発明は係る問題に鑑みてなされたものであり、大容量の記憶装置や処理速度の速い演算装置を端末自身に搭載することなく、「現在位置情報」を基にした関連情報をユーザに提供できる携帯端末を提供することを目的とする。
また、サーバ側での情報検索処理を軽減し、ユーザが所望する現在位置関連情報を迅速に提示できる位置情報変換システムを提供することを目的とする。
【００１２】
【課題を解決するための手段】
上記目的を達成するため、本発明は、第１の態様として、自端末の位置情報を、該位置情報と関連づけられた所定動作の実行命令に変換する携帯端末であって、位置情報を実行命令に変換するための変換処理群が少なくとも一群蓄積された記憶手段と、位置情報から実行命令への変換に適用する変換処理群を選択する手段と、現在地の位置情報を取得する手段と、選択した変換処理群のうち、現在地の位置情報に関連する変換処理を実行し、実行命令を生成する位置情報変換手段と、生成した実行命令に応じた動作を実行する手段とを有することを特徴とする携帯端末を提供するものである。
【００１３】
上記本発明の第１の態様において、変換処理群は、位置情報の測位単位に基づくマトリックスの各セルに対応した変換処理の集合であり、位置情報変換手段は、現在地の位置情報に対応するセルの変換処理を行って実行命令を生成することが好ましい。また、変換処理群の一つは、交通機関の最寄りステーション名をユーザに提示する動作の実行命令を位置情報変換手段に生成させることが好ましい。また、変換処理群の一つは、交差点名、インターチェンジ名、パーキング名を含む最寄りランドマーク名をユーザに提示する動作の実行命令を位置情報変換手段に生成させることが好ましい。また、変換処理群の一つは、現在地の位置情報に基づいて端末設定を変更する動作の実行命令を位置情報変換手段に生成させることが好ましい。
【００１４】
また、上記目的を達成するため、本発明は、第２の態様として、所定動作を実行する携帯端末と、当該携帯端末に移動体通信網を介して接続され、該携帯端末の位置情報に基づいて所定動作の実行命令を生成する変換処理群が少なくとも一群蓄積された記憶手段を備えたサーバとを有する位置情報変換システムであって、携帯端末は、移動体通信網を介して情報を送受信する手段と、変換処理群の一つをユーザに選択させる手段と、ユーザに選択された変換処理群を示す選択情報を、サーバへ送信する手段と、現在地の位置情報を取得する手段と、現在地の位置情報をサーバへ送信する手段と、サーバから受信した実行命令に基づいた動作を実行する実行手段とを有し、サーバは、選択情報に基づいて、いずれの変換処理群を記憶手段から読み出して実行するかを設定する手段と、現在地の位置情報を携帯端末から取得する手段と、設定した変換処理群のうち、現在地の位置情報に関連する変換処理を記憶手段から読み出して実行し、実行命令を生成する位置情報変換手段と、実行命令を携帯端末へ送信する手段とを有することを特徴とする位置情報変換システムを提供するものである。
【００１５】
上記本発明の第２の態様において、変換処理群は、位置情報の測位単位に基づくマトリックスの各セルに対応した変換処理の集合であり、位置情報変換手段は、現在地の位置情報に対応するセルの変換処理を実行して、実行命令を生成することが好ましい。また、変換処理群の一つは、交通機関の最寄りステーション名をユーザに提示する動作の実行命令を位置情報変換手段に生成させることが好ましい。また、変換処理群の一つは、交差点名、インターチェンジ名、パーキング名を含むランドマーク名をユーザに提示する動作の実行命令を位置情報変換手段に生成させることが好ましい。また、変換処理群の一つは、現在地の位置情報に基づいて携帯端末の端末設定を変更する動作の実行命令を位置情報変換手段に生成させることが好ましい。
【００１６】
また、上記目的を達成するため、本発明は、第３の態様として、ネットワーク上のサーバと、当該サーバに移動体通信網を介して接続され、位置情報を所定動作の実行命令に変換する変換処理群を少なくとも一群蓄積する記憶手段を備えた携帯端末とを有する位置情報変換システムであって、携帯端末は、移動体通信網を介して情報を送受信する手段と、変換処理群の一つをユーザに選択させる手段と、選択された変換処理群の送信を、サーバに要求する手段と、サーバから取得した変換処理群を記憶手段に蓄積する手段と、現在地の位置情報を取得する手段と、選択した変換処理群のうち、現在地の位置情報に関連する変換処理を実行し、実行命令を生成する位置情報変換手段と、生成した実行命令に応じた動作を実行する手段とを有し、サーバは、少なくとも一つの変換処理群が蓄積された蓄積手段と、携帯端末から要求された変換処理群を、携帯端末へ送信する手段とを有することを特徴とする位置情報変換システムを提供するものである。
【００１７】
上記本発明の第３の態様において、変換処理群は、位置情報の測位単位に基づくマトリックスの各セルに対応した変換処理の集合であり、位置情報変換手段は、現在地の位置情報に対応するセルの変換処理を行って実行命令を生成することが好ましい。また、変換処理群の一つは、交通機関の最寄りステーション名をユーザに提示する動作の実行命令を位置情報変換手段に生成させることが好ましい。また、変換処理群の一つは、交差点名、インターチェンジ名、パーキング名を含むランドマーク名をユーザに提示させる動作の実行命令を位置情報変換手段に生成させることが好ましい。また、変換処理群の一つは、現在地の位置情報に基づいて端末設定を変更する動作の実行命令を位置情報変換手段に生成させることが好ましい。
【００１８】
【発明の実施の形態】
〔第１の実施形態〕
本発明を好適に実施した第１の実施形態について説明する。図１に、本実施形態に係る位置測位機能付き携帯電話機を示す。携帯電話機１１は、位置測位機能部１１１、位置情報変換機能部１１２及び表示／出力機能部１１３を有する。
なお、図面中には示していないが、携帯電話機１１は、操作部、表示部、通信部、処理部、記憶装置部などの一般的な携帯電話機と同様の機能部を備えている。これらは、本発明の特徴となる部分ではないため、説明は省略する。
【００１９】
位置測位機能部１１１は、自端末の現在位置を緯度及び経度の情報として取得する。位置情報変換機能部１１２は、後述の変換規則に従い、現在位置情報を所定動作の実行命令に変換する。表示／出力機能部１１３は、実行命令に応じて不図示の表示部などを用いて現在位置関連情報をユーザに表示又は提示する。
【００２０】
〈動作例１〉
本実施形態に係る携帯電話機の動作について説明する。
図２に、携帯電話機１１の動作の一例を示す。
まず、携帯電話機１１のユーザは、事前に位置情報の変換規則を定めたシナリオを選択しておく（ステップＳ１１）。シナリオを使用する場合、位置測位機能部１１１は、自端末の現在位置を緯度及び経度の情報として取得する（ステップＳ１２）。この情報は、位置情報変換部機能１１２へ送られる。位置情報変換機能部１１２は、緯度・経度の情報を、設定された変換規則（シナリオ）に基づいて所定動作の実行命令（例えば、地名や駅名などの現在位置関連情報を表示させる命令）に変換する（ステップＳ１３）。携帯電話機１１は、変換によって得られた実行命令に応じた動作（例えば、表示／主力機能部１１３が不図示の表示部などを用いて現在位置関連情報をユーザに提示する動作）を実行する（ステップＳ１４）。
【００２１】
位置情報変換機能部１１２の動作について、シナリオの具体例を挙げて説明する。図３に、携帯電話機１１に適用されるシナリオの一例を示す。ユーザは、ステップＳ１１において、各種のシナリオの中から自分が得たい情報に関連するシナリオを選択する。
【００２２】
例えば、ユーザが電車のシナリオを選択した場合、ステップＳ１２において位置測位機能部１１１が取得した現在位置情報は、位置情報変換機能部１１２によって最寄りステーション名（駅名や停留所名など）を表示する命令に変換される。
【００２３】
図４及び図５に示すように、各シナリオの変換規則は、緯度・経度のある値の範囲に対するマトリックスとなっている。よって、乗り換え案内に関して、最寄り駅から目的地の駅名をユーザが調べたいと考えている場合、ユーザは最寄り駅名を入力する代わりに現在位置を測位するだけで、所望する情報を得ることができる。
なお、携帯電話機１１が、移動体通信網を用いて現在地の位置情報を取得する場合、シナリオは各基地局セルに対応するマトリックスとすればよい。
【００２４】
また、ユーザが車のシナリオを選択した場合を考えると、車でドライブ中にユーザが必要とする情報は、最寄りの交差点、高速道路上においてはインターチェンジ名、パーキングエリア名などである。よって、車のシナリオが選択された場合、携帯電話機１１は、ステップＳ１２において位置測位機能部１１１が取得した現在位置情報を位置情報変換機能部１１２によって最寄りの交差点名、インターチェンジ名、パーキングエリア名などを表示する命令に変換する。
【００２５】
電車のシナリオと同様に、このシナリオの変換規則も単純な緯度・経度のある値の範囲に対するマトリックスとなっている。よって、ユーザが事前に目的地を設定しておけば、携帯電話機１１は位置測位機能部１１１が取得する現在位置情報を用いて簡単に経路を探索できる。
【００２６】
ユーザが飲食店の情報を知りたい場合は、レストランのシナリオを選択することで、最寄りの飲食店の情報を得ることができる。
【００２７】
また、広域のシナリオを選択することで、携帯電話機１１のユーザは現在の位置を大まかに知ることができる。逆に、ユーザが狭域のシナリオを選択することで、現在の位置を詳細に知ることができる。
【００２８】
〈動作例２〉
携帯電話機１１の第２の動作例について説明する。この動作は、現在位置情報に基づいて、自端末の設定を変更する動作であり、シナリオの一種として位置情報変換機能部２に登録されている。
図６及び図７に、現在位置の緯度・経度に基づいて、自端末の設定を変更する際の規則を示す。図に示すように、携帯電話機の設定パターンは、緯度・経度の値の範囲に対するマトリックスと関連づけがなされている。
【００２９】
ステップＳ１１において端末設定のシナリオが選択された場合、携帯電話機１１はステップＳ１２において位置測位機能部１１１が取得した位置情報と上記設定変更の規則とに基づいて自端末の各種設定を変更する。
例えば、位置測位の結果、今現在エリアＣ２内に位置していると判断した場合、位置情報変換機能部１１２は、着信音をメロディ１に、待ち受け画面を画面１に、着信イルミネーションを赤色に設定する動作の実行命令を生成し、携帯電話機１１に設定の変更を行わせる。同様に、位置測位の結果、今現在エリアＡ１内に位置していると判断した場合、位置情報変換機能部１１２は、着信音をメロディ３に、待ち受け画面を画面３に、着信イルミネーションを黄色に設定する動作の実行命令を生成し、携帯電話機１１に設定の変更を行わせる。
【００３０】
携帯電話機１１は、位置測位機能部１１１による現在位置情報の測定を自動的に（例えば、毎正分や所定の時間間隔ごと）行うことによって、自宅での着信音は趣味の音楽、会社では着信音をＯＦＦ（バイブレータ）とする設定を自動的に切り替えることが可能となる。
【００３１】
このように、携帯電話機１１は、位置情報測位機能部１１１が取得した現在位置情報を所定動作に実行命令に変換する規則を定めたシナリオを備える。これによって、位置情報関連情報をユーザに提示する場合、携帯電話機１１は、緯度・経度で示される現在位置情報を、地図データに基づいたデータベースを使用することなく現在位置関連情報に変換してユーザに提示できる。換言すると、携帯電話機１１は、ユーザから事前に設定された変換規則に基づいて現在位置情報を現在位置関連情報の表示命令へ変換するため、大容量の記憶装置や処理速度の高い演算装置を備える必要がない。
また、位置情報を位置情報関連情報の表示命令に変換する処理を携帯電話機１１が行うため、変換処理に伴う通信コストが発生しないとともに、現在位置関連情報を短時間でユーザに提示できる。
さらに、携帯電話機１１は、現在位置情報に基づいて自端末の設定を変更するなど、現在位置情報に基づいた現在位置関連情報をユーザに提示する以外の目的に現在地情報を活用することが可能となる。
【００３２】
〔第２の実施形態〕
本発明を好適に実施した第２の実施形態について説明する。図８に、本実施形態に係る位置情報変換システムを示す。このシステムは、携帯電話機１２、コンテンツサーバ２２及び位置変換サーバ３２を有する。携帯電話機１２は、位置情報測位機能部１２１及び表示／出力機能部１２２を有する。携帯電話機１２は、ネットワーク上に設けられたコンテンツサーバ２２に無線通信網を介して接続されている。コンテンツサーバ２２は、ネットワーク上にある位置情報変換サーバ３２に接続されている。
【００３３】
位置情報測位機能部１２１及び表示／出力機能部１２２は、第１の実施形態に係る携帯電話機１１のものと同様である。
コンテンツサーバ２２は、位置情報変換サーバ３２に対して、シナリオの設定や変換処理に関しての指示を行う。換言すると、コンテンツサーバ２２は、ユーザから選択されたシナリオに関する情報を保持し、位置情報変換サーバ３２に現在位置情報から所定動作の実行命令へ変換する処理を行わせる。
位置情報変換サーバ３０は、ユーザから設定されたシナリオの変換規則に基づいて、現在位置情報を所定動作の実行命令へ変換する。
【００３４】
本実施形態に係る位置情報変換システムの動作について説明する。図９に、この位置情報変換システムの動作の一例を示す。
まず、携帯電話機１２のユーザは、事前に位置情報の変換規則を定めたシナリオを選択しておく（ステップＳ２１）。ユーザに選択されたシナリオを示す情報は、移動体通信網を介してコンテンツサーバ２０に送信され、このシナリオが現在地情報を所定動作の実行命令へ変換する際に使用するシナリオとして設定される（ステップＳ２２）。
ユーザがシナリオを利用する場合、位置測位機能部１は、携帯電話機１２の現在位置を緯度及び経度の情報として取得する（ステップＳ２３）。携帯電話機１２は、移動体通信網を介してこの情報をコンテンツサーバ２０へ送信する。コンテンツサーバ２０は、受信した現在位置情報を位置情報変換サーバ３０へ送信して、先に設定されたシナリオを用いて変換処理を行うように要求する。
【００３５】
位置情報変換サーバ３０は、緯度・経度で示される現在位置情報を、設定された変換規則（シナリオ）に基づいて所定動作の実行命令へ変換する（ステップＳ２４）。例えば、予め設定されたシナリオの変換規則に基づいて、現在地の位置情報に関連する現在位置関連情報を不図示の格納手段から読み出し、これ表示させる動作の実行命令を生成する。位置情報変換サーバ３０は、変換によって得られた所定動作の実行命令を、コンテンツサーバ２０へ送信する。コンテンツサーバ２０は、受信した所定動作の実行命令を携帯電話機１２へ送信する（ステップＳ２５）。
【００３６】
携帯電話機１２は、コンテンツサーバ２０が送信した所定動作の実行命令を、移動体通信網を介して取得する（ステップＳ２６）。表示／出力機能部１２２は、実行命令に基づいた動作を行い、現在位置関連情報を不図示の表示部などを用いてユーザへ提示したり、端末設定を変更させたりする（ステップＳ２７）。
【００３７】
なお、上記動作例において位置情報の変換に用いられるシナリオは、図３に示した第１の実施形態に係る携帯電話機１１で用いられるシナリオと同様であり、変換規則も第１の実施形態と同様に、緯度・経度のある値の範囲に対するマトリックスに関連づけられている。
【００３８】
なお、ここでは、コンテンツサーバ２２と位置情報変換サーバ３２とを別個の構成としたが、一つのサーバがそれぞれの機能を兼ね備える構成であっても構わない。
【００３９】
このように、本実施形態に係る位置情報変換システムは、現在位置情報を所定動作の実行命令へ変換するためのシナリオをサーバ側に備えたことにより、大容量の記憶装置や処理速度が高い演算装置を端末側に備える必要がない。
また、シナリオを、サーバ側に備えたことにより、シナリオの追加や更新を容易に行うことができる。
さらに、現在位置関連情報をユーザに提示する場合、ユーザから設定されたシナリオの変換規則に基づいてサーバが位置情報を現在位置関連情報の表示命令へ変換できるため、現在位置情報を現在位置関連情報へ変換する際の処理時間を従来のシステムよりも短縮できる。このため、シナリオをサーバ側に備える構成とした場合に必要となる通信コストや、変換処理時の処理待ち時間などを従来の位置情報変換システムよりも低減できる。
なお、位置情報測位機能部１が、自端末の所属する基地局セルに基づいて現在位置情報を取得する場合（換言すると、移動体通信網を利用して現在位置情報を取得する場合）は、現在位置を測位する際に移動体通信網を介して通信を行うため、現在位置情報の変換のみを目的とした通信を行う必要がない。よって、移動体通信網を利用して現在位置情報を取得する携帯電話機の場合は、通信コストや処理待ち時間を大きく増加させることなく、シナリオをサーバ側に備える構成とすることができる。
【００４０】
〔第３の実施形態〕
本発明を好適に実施した第３の実施形態について説明する。図１０に、本実施形態に係る位置情報変換システムを示す。このシステムは、携帯電話機１３が位置情報変換機能部１３２を有する点で第２の実施形態に係る位置情報変換システムと相違する。
また、本実施形態においてコンテンツサーバ２３は、ユーザから要求されたシナリオを位置情報変換サーバ３０から読み出して取得し、携帯端末１３へ送信する。
【００４１】
本実施形態に係る携帯電話機の動作について説明する。図１１に、本実施形態に係る携帯電話機の動作の一例を示す。
携帯電話機１３はユーザの入力操作に応じて、移動体通信網及びコンテンツサーバ２３を介して位置情報変換サーバ３３と通信を行い、コンテンツサーバ２３に対して、シナリオのダウンロードを要求する（ステップＳ３１）。コンテンツサーバ２３は、携帯電話機１３からの要求に応じて、要求されたシナリオを位置情報変換サーバ３３から読み出し、これを携帯電話機１３へ送信する（ステップＳ３２）。携帯電話機１３は、移動体通信網及びコンテンツサーバ２３を介して位置情報変換サーバ３３から取得したシナリオを不図示の記憶装置部（ＲＡＭ、フラッシュメモリなど）に蓄積する（ステップＳ３３）。
ステップＳ３４以降の動作は、第１の実施形態に係る携帯電話機の動作と同様であるが、現在位置情報を所定動作の実行命令へ変換する際には、位置情報変換サーバ３３からダウンロードしたシナリオを用いる。
【００４２】
なお、第２の実施形態と同様に、本実施形態に係る位置情報変換システムもコンテンツサーバ２３と位置情報変換サーバ３３との機能を一つのサーバが兼ね備える構成であっても構わない。
【００４３】
このように、本実施形態に係る位置情報変換システムに適用される携帯電話機１３は、現在位置情報を所定動作の実行命令へ変換するためのシナリオを位置情報変換サーバ３０からダウンロードして取得・更新できる。よって、携帯電話機１３は、第１の実施形態に係る携帯電話機１１と同様の効果が得られることに加え、シナリオの追加や更新を容易に行える。
さらに、携帯電話機１３はシナリオのダウンロード時のみ位置情報検出サーバ３０と通信を行えば良い。このため、現在位置情報を所定動作の実行命令へ変換する際には、通信コストや変換処理の待ち時間が生じない。
さらに、コンテンツを使用する際に、必要なシナリオをユーザにダウンロードさせることも可能である。
【００４４】
なお、上記各実施形態は、本発明の好適な実施の一例であり、本発明は、これに限定されるものではない。
例えば、上記各実施形態で示したシナリオや変換規則はあくまでも一例であり、これ以外のシナリオや変換規則を適用してもよい。
また、上記各実施形態では、位置測位機能を備えた携帯電話機を例に説明を行ったが、必ずしも携帯電話機に限定されるものではなく、ＰＨＳ端末などであってもよい。また、サーバとの間で通信を行わない構成であれば、必ずしも移動体通信網を介して通信する機能を備えていなくてもよい。
このように、本発明は様々な変形が可能である。
【００４５】
【発明の効果】
以上の説明によって明らかなように、本発明によれば、大容量の記憶装置や処理速度の高い演算装置を搭載することなく、「現在位置情報」を基にした「現在位置関連情報」をユーザに提示できる携帯端末及び位置情報変換システムを提供できる。
また、現在位置関連情報をユーザに提示する際に、通信コストや変換処理の待ち時間の増大を抑えた携帯端末及び位置情報変換システムを提供できる。
さらに、単に現在地に関連する情報をユーザに提示するのみでなく、現在地の位置情報に応じて所定の動作を携帯端末に実行させることができる。
【図面の簡単な説明】
【図１】本発明を好適に実施した第１の実施形態に係る携帯端末の構成を示すブロック図である。
【図２】第１の実施形態に係る携帯端末の動作の一例を示す図である。
【図３】シナリオの一例を示す図である。
【図４】シナリオの変換規則の一例を示す図である。
【図５】シナリオの変換規則の一例を示す図である。
【図６】シナリオの変換規則の別の一例を示す図である。
【図７】シナリオの変換規則の別の一例を示す図である。
【図８】本発明を好適に実施した第２の実施形態に係る位置情報変換システムの構成を示す図である。
【図９】第２の実施形態に係る位置情報変換システムの動作の一例を示す図である。
【図１０】本発明を好適に実施した第３の実施形態に係る位置情報変換システムの構成を示す図である。
【図１１】第３の実施形態に係る位置情報変換システムの動作の一例を示す図である。
【図１２】従来の位置情報変換システムの構成を示す図である。
【図１３】従来の位置情報変換システムの動作の一例を示す図である。
【図１４】従来の位置情報変換システムの別の動作例を示す図である。
【符号の説明】
１１、１２、１３　位置測位機能付き携帯電話機
２２、３２　コンテンツサーバ
２３、３３　位置情報変換サーバ
１１１、１２１、１３１　位置測位機能部
１１２、１３２　位置情報変換機能部
１１３、１２２、１３３　表示／出力機能部
【図１】
2004015630.tif 000003
【図２】
2004015630.tif 000004
【図３】
2004015630.tif 000005
【図４】
2004015630.tif 000006
【図５】
2004015630.tif 000007
【図６】
2004015630.tif 000008
【図７】
2004015630.tif 000009
【図８】
2004015630.tif 000010
【図９】
2004015630.tif 000011
【図１０】
2004015630.tif 000012
【図１１】
2004015630.tif 000013
【図１２】
2004015630.tif 000014
【図１３】
2004015630.tif 000015
【図１４】
2004015630.tif 000016